(57)【要約】【課題】座位姿勢作業における作業者の股部や膝部への負担を軽減することができる座位姿勢作業用のアシスト器具を提供する。【解決手段】座位姿勢作業用のアシスト器具１０は、座位姿勢特にあぐら姿勢や前屈み姿勢で作業を行う作業者１１の股部又は膝部１３の負担を軽減するためのものである。アシスト器具１０は、例えば作業者１１が装着したパンツ１７外面の面ファスナーにクッション１６が貼着されて構成される。このクッション１６は、２つの軟質材料層２４間に硬質材料層２５が挟着された３層構造に構成される。そして、座位姿勢での作業時には、クッション１６があぐら姿勢又は前屈み姿勢における臀部１５を支持するとともに、床面１４の凹凸を吸収して安定姿勢をとることができるように構成されている。【選択図】図１
2019206781.tif 000002
【特許請求の範囲】
【請求項１】
座位姿勢で作業を行う作業者の股部又は膝部の負担を軽減するためのアシスト器具であって、
前記作業者の座位姿勢としてのあぐら姿勢又は前屈み姿勢における臀部を支持するとともに、床面の凹凸を吸収して安定姿勢をとるためのクッションを作業者の身体に一体化可能に構成した座位姿勢作業用のアシスト器具。
【請求項２】
前記クッションを身体装着用のパンツの外面又はベルトに支持されたシート本体の外面に着脱可能に構成した請求項１に記載の座位姿勢作業用のアシスト器具。
【請求項３】
前記クッションは、少なくとも身体側の軟質材料層と外面側の硬質材料層とが重ね合わされた２層構造を有する請求項１又は請求項２に記載の座位姿勢作業用のアシスト器具。
【請求項４】
前記クッションは、２つの軟質材料層の間に硬質材料層が挟着された３層構造を有する請求項３に記載の座位姿勢作業用のアシスト器具。
【請求項５】
前記クッションの両側部には、作業者の脚部の内股部を挿着する凹部が設けられている請求項１から請求項４のいずれか１項に記載の座位姿勢作業用のアシスト器具。
【請求項６】
前記クッションには、クッション全体の厚さを調整するためにクッションに着脱可能に構成された追加クッションを備える請求項１から請求項５のいずれか１項に記載の座位姿勢作業用のアシスト器具。
【請求項７】
前記クッションには、蓄熱材料が収容されている請求項１から請求項６のいずれか１項に記載の座位姿勢作業用のアシスト器具。
【請求項８】
前記軟質材料層は低反発発泡樹脂で構成されるとともに、硬質材料層は発泡オレフィン樹脂で構成されている請求項３又は請求項４に記載の座位姿勢作業用のアシスト器具。
【請求項９】
前記クッションには、空気充填部を含む請求項１から請求項６のいずれか１項に記載の座位姿勢作業用のアシスト器具。
【請求項１０】
前記アシスト器具の不使用時には、前記パンツに設けた分離部でパンツの一部を分離し、クッションを身体の前部又は側部に保持するか、又は前記シート本体をサスペンダーで支持し、そのサスペンダーを背中から肩を介して腹部へ回してクッションを背中に背負うように構成した請求項２に記載の座位姿勢作業用のアシスト器具。
【発明の詳細な説明】
【技術分野】
【０００１】
本発明は、例えば発電所、変電所等の配電盤室や地下ピット等の狭隘な作業場において、あぐら座り又は前屈み姿勢で作業を行うとともに、頻繁に移動して作業位置を変更し、作業を継続する場合に好適に使用される座位姿勢作業用のアシスト器具に関する。
【背景技術】
【０００２】
変電所の配電盤室における狭い空間の所定位置で、作業者はあぐら姿勢や前屈み姿勢で制御ケーブルの撤去作業や布設作業を行い、さらにその場を移動して別の作業位置で同様の作業を繰返して行わなければならない。あぐら姿勢や前屈み姿勢のときには股部の外転や外旋、さらに膝部の屈曲について関節可動域の許容角度を超えることから、作業者の股部や膝部への負担が大きくなっている。
【０００３】
この種の身体への負担軽減を図る工夫の１つとして、例えば釣り用ズボンが特許文献１に開示されている。この釣り用ズボンは、臀部用パッドを備え、その臀部用パッドの身体側の面が着用者の臀部の形状に沿うように例えば窪み部が設けられたものである。この釣り用ズボンによれば、釣り人が釣り用ズボンを着用するだけで臀部を保護することができるとともに、長時間座って釣りをしても疲れにくいという効果が得られる。
【先行技術文献】
【特許文献】
【０００４】
【特許文献１】特開平１１−３３５９１０号公報
【発明の概要】
【発明が解決しようとする課題】
【０００５】
前述した特許文献１に記載されている従来構成の釣り用ズボンは、長時間座って釣りをする場合に臀部を保護するものに過ぎない。しかしながら、狭い空間においてあぐら姿勢や前屈み姿勢を長時間維持して作業を続ける場合には、股部や膝部に対する負荷は極めて大きいことから、釣り用ズボンの内面側に臀部用パッドを備えるだけでは作業者の股部や膝部の負担を軽減することは困難である。
【０００６】
そこで、本発明の目的とするところは、座位姿勢作業における作業者の股部や膝部への負担を軽減することができる座位姿勢作業用のアシスト器具を提供することにある。
【課題を解決するための手段】
【０００７】
上記の目的を達成するために、本発明の座位姿勢作業用のアシスト器具は、座位姿勢で作業を行う作業者の股部又は膝部の負担を軽減するためのアシスト器具であって、前記作業者の座位姿勢としてのあぐら姿勢又は前屈み姿勢における臀部を支持するとともに、床面の凹凸を吸収して安定姿勢をとるためのクッションを作業者の身体に一体化可能に構成したものである。
【０００８】
このため、作業者はアシスト器具を装着することにより、アシスト器具を手で持つことなく、そのアシスト器具が身体に一体化された状態で作業現場まで移動することができる。そして、狭い空間の作業現場で座ることにより、クッションが臀部を支持するとともに、座位高さを高く維持することができ、あぐら姿勢や前屈み姿勢での作業において作業者の股部や膝部への負担を軽減することができる。さらに、クッションが床面の凹凸を吸収して安定姿勢をとることができるため、作業を安定した状態で進めることができる。
【発明の効果】
【０００９】
本発明の座位姿勢作業用のアシスト器具によれば、座位姿勢作業における作業者の股部や膝部への負担を軽減することができるという効果を奏する。
【図面の簡単な説明】
【００１０】
【図１】第１実施形態におけるパンツタイプのアシスト器具を示し、（ａ）は作業者がアシスト器具を装着して移動する状態を示す斜視図、（ｂ）は作業者がアシスト器具を装着してあぐら姿勢で作業をする状態を示す斜視図。
【図２】第１実施形態におけるベルトタイプのアシスト器具を示し、（ａ）は作業者がアシスト器具を装着して移動する状態を示す斜視図、（ｂ）は作業者がアシスト器具を装着してあぐら姿勢で作業をする状態を示す斜視図。
【図３】パンツタイプのアシスト器具を後方から見た状態を示す斜視図。
【図４】ベルトタイプのアシスト器具を後方から見た状態を示す斜視図。
【図５】（ａ）はクッションを示す斜視図、（ｂ）はクッションを示す平面図、（ｃ）はクッションを示す断面図。
【図６】クッションに追加クッションを貼着する状態を示す断面図。
【図７】（ａ）はアシスト器具を使用して作業者が前屈み姿勢で作業をする状態を示す斜視図、（ｂ）はアシスト器具を使用して作業者があぐら姿勢で作業をする状態を示す斜視図。
【図８】（ａ）は作業者がアシスト器具を装着して移動する状態を示す側面図、（ｂ）は作業者がアシスト器具を使用して作業をする状態を示す側面図。
【図９】（ａ）は作業者が座位高さ１００ｍｍのクッションを使用してあぐら姿勢で作業をする状態を示す側面図、（ｂ）は作業者が座位高さ５０ｍｍのクッションを使用してあぐら姿勢で作業する状態を示す側面図、（ｃ）は作業者がクッションを使用しないであぐら姿勢で作業をする状態を示す側面図。
【図１０】あぐら姿勢における作業者の下肢負担状態を示す図であって、（ａ）は作業者を上方から見た平面図、（ｂ）は作業者を前方から見た部分正面図、（ｃ）は作業者を左斜め後方から見た部分斜視図。
【図１１】（ａ）は第２実施形態のクッション内部に収容する容器を示す斜視図、（ｂ）は前記容器を収容したクッションを示す斜視図、（ｃ）は容器を収容したクッションを示す断面図。
【図１２】前記容器を収容したアシスト器具の両側部に凹部を設けた状態を示す斜視図。
【図１３】蛇腹構造を有するアシスト器具を示す斜視図。
【図１４】第３実施形態のアシスト器具を示す正面図。
【図１５】（ａ）は作業者がアシスト器具を装着している状態を示す斜視図、（ｂ）はアシスト器具の不使用時にクッションを背中に背負っている状態を示す斜視図。
【図１６】（ａ）は第４実施形態のアシスト器具を展開し、その外面側を示す平面図、（ｂ）はアシスト器具を展開し、その身体側を示す平面図。
【図１７】（ａ）は作業者がアシスト器具を装着している状態を示す斜視図、（ｂ）はアシスト器具の不使用時にクッションを横に保持して移動する状態を示す斜視図。
【発明を実施するための形態】
【００１１】
（第１実施形態）
以下、本発明の第１実施形態を図１〜図９に基づいて詳細に説明する。
図１（ａ）、（ｂ）及び図２（ａ）、（ｂ）に示すように、第１実施形態における座位姿勢作業用のアシスト器具（以下、単にアシスト器具ともいう）１０は、例えば変電所の配電盤室の狭い空間において、座位姿勢で制御ケーブルの布設作業や撤去作業を行う作業者１１の股部１２（図３）や膝部１３への負担を軽減するために使用される。座位姿勢として代表的には、図７（ｂ）に示すあぐら姿勢と図７（ａ）に示す前屈み姿勢が挙げられる。図５（ｃ）に示すように、前記配電盤室の床面１４は平らな面のほか、床面１４上に制御ケーブル１４ａが布設されていたり、凹凸部１４ｂを有していたりする凹凸面の場合がある。
【００１２】
図１（ａ）及び図２（ａ）に示すように、前記アシスト器具１０は、作業者１１のあぐら姿勢又は前屈み姿勢における臀部１５を支持するためのクッション１６が作業者１１の身体に一体化されて構成されている。一体化するための構成としては、前記クッション１６を身体装着用のパンツ１７の外面に着脱可能に構成したパンツタイプと、クッション１６を作業者１１のベルト１８に支持されたシート本体１９に着脱可能に構成したベルトタイプとがある。
【００１３】
図１（ａ）及び図３に示すように、パンツタイプでは、袋状をなすパンツ１７の上部には身体の腰部２０が挿入される上部開口部１７ａが設けられ、下部両側には身体の両脚部２１をそれぞれ挿通する下部右側開口部１７ｂ及び下部左側開口部１７ｃが設けられている。前記パンツ１７は、弾力性を有し、身体に密着するゴム状弾性材料により形成されている。パンツ１７の後部外面の下端部には面ファスナー２２が取付けられ、この面ファスナー２２にクッション１６に設けた面ファスナー（図示せず）により着脱可能に構成されている。
【００１４】
図２（ａ）及び図４に示すように、ベルトタイプでは、横長矩形状をなすシート本体１９の上端部の左右に一対のベルト装着用帯２３がループ状に取付けられ、そのベルト装着用帯２３にベルト１８が挿通されている。前記シート本体１９外面の下端中央部には面ファスナー２２が取付けられ、この面ファスナー２２にクッション１６が着脱可能に構成されている。座位につく前に、シート本体１９が揺らがないよう、シート本体１９と大腿を止める紐やベルトを設けて作業性を良くすることができる。
【００１５】
図５（ａ）〜（ｃ）に示すように、前記クッション１６は、少なくとも身体側の軟質材料層２４と外面側の硬質材料層２５とが重ね合わされた２層構造を有している。この２層構造を基本の構成として、３層構造、４層構造などを適宜採用することができる。なお、２層構造の場合には、外面側の硬質材料層２５が床面１４の凹凸を吸収できるように材質等を設定してもよいし、又は床面１４の凹凸が硬質材料層２５で吸収可能な平坦である場合において使用してもよい。
【００１６】
この第１実施形態において、クッション１６は２つの軟質材料層２４ａ、２４ｂの間に硬質材料層２５が挟着された３層構造を有している。すなわち、身体側の軟質材料層２４ａは臀部１５への密着性や感触を良好にして臀部１５を保護するとともに、外面側の軟質材料層２４ｂは床面１４の制御ケーブル１４ａ、凹凸部１４ｂ等の凹凸を吸収してクッション１６を安定化させるように構成されている。一方、中間部の硬質材料層２５は、作業者１１がアシスト器具１０のクッション１６に座ったときの沈み込みを抑え、図９(ａ)、（ｂ）における座位高さ４０を維持できるように構成されている。
【００１７】
前記軟質材料層２４は臀部１５への密着性や感触を良好にするとともに、床面１４の制御ケーブル１４ａや凹凸部１４ｂに対する吸収性を高めるために、デュロメータ硬さがＡ７０〜Ａ５０程度の材料で構成されることが好ましい。具体的には低反発発泡樹脂が好ましく、例えば低反発発泡ポリウレタンとして和気産業（株）製の低反発ウレタンフォームPUF-06等が用いられる。この低反発発泡ポリウレタンとしては、反発弾性率（ＪＩＳＫ６４００−２）が３０〜６０％であることが好ましく、このような低反発発泡ポリウレタンは感触が良く、局部的な圧迫が少なく体圧分散性に優れている。
【００１８】
一方、硬質材料層２５は作業者１１の体重による沈み込みを抑え、座位高さ４０を維持するために、デュロメータ硬さがＡ９８〜Ａ９０程度の材料で構成されることが好ましい。具体的には発泡オレフィン樹脂が好ましく、例えば発泡ポリエチレン、発泡ポリプロピレン等が用いられる。発泡ポリエチレンとしては、トラスコ中山(株)製の発泡ポリエチレンシート（ハードタイプ、低密度ポリエチレン）が挙げられる。発泡ポリオレフィンは独立気泡の発泡体で、強度及び耐荷重性に優れている。
【００１９】
前記クッション１６の厚さは、作業者１１の股部１２や膝部１３の負担を軽減するために、作業者１１がクッション１６に座った状態で５〜５０ｃｍであることが好ましく、５〜１０ｃｍであることがさらに好ましい。なお、作業者１１がクッション１６に座った状態の厚さは、作業者１１がクッション１６に座っていない状態の厚さに比べて１０〜２０％程度低くなる。前記クッション１６の厚さが５ｃｍよりも薄い場合には、作業者１１の座位が十分に高められず、作業者１１の股部１２や膝部１３への負担を軽減することが難しい。その一方、クッション１６の厚さが５０ｃｍよりも厚い場合には、作業者１１の座位が高くなり過ぎて腰部２０に負担を及ぼしたり、作業時に狭い空間で頭が上部の構造物に接触しやすくなったりして好ましくない。
【００２０】
図５（ｂ）に示すように、クッション１６は平面略長方形に形成され、横向き（横長）又は縦向き（縦長）のいずれの向きでも使用することができる。
図６に示すように、前記クッション１６には、クッション１６全体の厚さを調整するためにクッション１６に着脱可能に構成された追加クッション１６ａを使用することができる。この追加クッション１６ａとしては例えば、前記軟質材料層２４と硬質材料層２５との２層構造に設定される。該追加クッション１６ａの厚さ、層構成、材質、さらに個数等の構成は特に制約されず、適宜設定することができる。
【００２１】
前記クッション１６の両面には面ファスナー２２が取付けられるとともに、追加クッション１６ａの上面にも面ファスナー２２が取付けられ、クッション１６の下面の面ファスナー２２に対して追加クッション１６ａの上面の面ファスナー２２が貼着されて一体化されるようになっている。
【００２２】
図５（ａ）、（ｂ）に示すように、前記クッション１６の両側部には、作業者１１の脚部２１の内股部を挿着するための凹部２６を設けることができる。作業者１１がこの凹部２６に脚部２１の内股部を挿着した状態で正座姿勢やあぐら座りをして作業を行うことにより、主に膝部１３への負担を軽減することができる。ここで、軟質材料層２４ａ、硬質材料層２５及び軟質材料層２４ｂの各層間は接着剤で接着することによって一体化したものを、高さを変えて何種類か準備してもよい。また、軟質材料層２４ａ、硬質材料層２５、軟質材料層２４ｂのそれぞれの層の両面にも面ファスナー２２を着脱可能な極性で設けてもよい。ここで極性とは、面ファスナー２２のフック状面とループ状面のことを示している。このように構成すれば、硬質材料層２５を変更するだけでクッション１６の厚さを変えることができる。軟質材料層２４ａ、軟質材料層２４ｂは同じ材質の低反発発泡ポリウレタンであってもよいし、一方は高反発発泡ウレタンを用いることなど、作業環境やクッション性の好みに応じて変えてもよい。重さは軟質材料層２４ａ、硬質材料層２５、軟質材料層２４ｂ合わせても２００ｇ〜５００ｇ程度であり、移動の際、作業者１１の負担にはならないことも重要な要素である。
【００２３】
図７（ｂ）及び図８（ｂ）に示すように、前記あぐら姿勢や前屈み姿勢をとるためには、股関節の外転、外旋、屈曲及び膝関節の屈曲の４つの関節動作が必要となる。この場合、図１０（ａ）に示すように股外転角度αは４５度以下、図１０（ｂ）に示すように股外旋角度βは４５度以下、図１０（ｃ）に示すように股屈曲角度γは１２５度以下及び図１０（ａ）に示すように膝屈曲角度δは１３０度以下であることが望ましい。
【００２４】
図９（ａ）、（ｂ）に示すように、アシスト器具１０を使用することにより、作業者１１の臀部１５の位置すなわち座位高さ４０が高くなり、股部１２や膝部１３への負荷が抑制されることがわかる。
【００２５】
その一方、図９（ｃ）に示すように、アシスト器具１０を使用しない従来のあぐら姿勢や前屈み姿勢での作業では、股部１２や膝部１３への負荷が大きくなり、例えば股外転角度αが５０度、股外旋角度βが７５度、膝屈曲角度が１４９度程度になる。このため、従来のあぐら姿勢や前屈み姿勢での作業では、股部１２や膝部１３への負担が非常に大きかった。
【００２６】
次に、前述のように構成された第１実施形態のアシスト器具１０について作用を説明する。
さて、作業者１１がアシスト器具１０を用いて変電所の配電盤室の狭い空間で制御ケーブル１４ａの布設作業や撤去作業を行う場合には、図３及び図１（ａ）に示すように、パンツ１７外面の面ファスナー２２にクッション１６を貼着した状態で、パンツ１７を履く。或いは、図４及び図２（ａ）に示すように、クッション１６が貼着されたアシスト器具１０をベルト１８に装着する。その状態で、作業者１１は作業現場まで移動する。このとき、アシスト器具１０が作業者１１の体に一体的に取付けられていることから、作業者１１は移動時にアシスト器具１０を手で持ち運びする必要がなく、そのまま移動できて便利である。
【００２７】
次いで、図１（ｂ）及び図２（ｂ）に示すように、作業現場において作業者１１はあぐら姿勢で座って作業を行う。このとき、図９（ａ）及び（ｂ）に示すように、作業者１１がアシスト器具１０を装着している場合には、図９（ｃ）に示す作業者１１がアシスト器具１０を装着していない場合に比べて座位高さ４０が高くなるとともに、上半身が前傾姿勢になる。すなわち、作業者１１の股関節の股外転角度α、股外旋角度β及び股屈曲角度γ並びに膝関節の膝屈曲角度δを小さくすることができ、関節可動域の限界角度を下回る方向に改善できて、作業者１１の股関節及び膝関節へ加わる力を緩和することができる。
【００２８】
ここで、実験によるとアシスト器具１０を使用しない場合、股外転角度αが５０度、股外旋角度βが７５度、膝屈曲角度δが１４９度程度であった数値は、アシスト器具１０の高さ１００ｍｍを使用した場合、股外転角度αが４５度、股外旋角度βが６５度、膝屈曲角度δが１３８度と大幅に改善された。
【００２９】
図７（ａ）に示すように、作業者１１が脚部２１を開いて前屈み姿勢で作業を行う場合にも、作業者１１がアシスト器具１０を装着することにより前傾姿勢が取りやすくなって作業が容易になるとともに、作業者１１の股関節及び膝関節へ加わる力を和らげることができる。
【００３０】
その後、図１（ａ）、図２（ａ）及び図８（ａ）に示すように、次の作業現場へ移動するときには、作業者１１はあぐら姿勢又は前屈み姿勢から立ち上がり、そのまま次の作業現場に向かって移動すればよい。このとき、クッション１６が貼着されたアシスト器具１０は作業者１１に一体となって移動できるため、作業者１１は工具や材料を手に持って移動することができる。そして、作業者１１は速やかに次の作業現場へ移り、そこで次の作業を行うことができる。
【００３１】
以上の第１実施形態により発揮される効果を以下にまとめて記載する。
（１）この第１実施形態のアシスト器具１０は、あぐら姿勢又は前屈み姿勢における臀部１５を支持するとともに、床面１４の凹凸を吸収して安定姿勢をとるためのクッション１６が作業者１１の身体に一体化可能に構成されている。
【００３２】
このため、作業者１１はアシスト器具１０を装着することにより、アシスト器具１０を手で持つことなく、そのアシスト器具１０が身体に一体化された状態で作業現場まで移動することができる。そして、作業現場で座ることにより、クッション１６が臀部１５を支持するとともに、座位高さ４０を高く維持することができ、あぐら姿勢や前屈み姿勢での作業において作業者１１の股部１２や膝部１３への負担を軽減することができる。さらに、クッション１６が床面１４の凹凸を吸収して安定姿勢をとることができるため、作業を安定した状態で進めることができる。
【００３３】
従って、本実施形態のアシスト器具１０によれば、座位姿勢作業における作業者１１の股部１２や膝部１３への負担を軽減することができる。
（２）前記クッション１６は身体装着用のパンツ１７の外面又はベルト１８に支持されたシート本体１９の外面に面ファスナー２２で着脱可能に構成されている。このため、クッション１６を身体にワンタッチで一体化したり、分離したりすることができ、その操作が簡易である。
【００３４】
（３）前記クッション１６は、少なくとも身体側の軟質材料層２４と外面側の硬質材料層２５とが重ね合わされた２層構造を有し、２つの軟質材料層２４の間に硬質材料層２５が挟着された３層構造を有することが好ましい。この場合、軟質材料層２４により作業者１１の臀部１５に対して密着でき、臀部１５を軟らかく保護できるとともに、床面１４に対して安定状態にでき、かつ硬質材料層２５により沈み込みを抑え、座位高さ４０を維持することができる。
【００３５】
（４）前記軟質材料層２４は低反発発泡樹脂で構成されるとともに、硬質材料層２５は発泡オレフィン樹脂で構成されている。そのため、軟質材料層２４は弾力性が良く、座ったときの感触を向上させるとともに、硬質材料層２５は十分な硬さを示し、クッション１６の厚さを維持することができる。
【００３６】
（５）前記クッション１６の両側部には、作業者１１の脚部２１の内股部を挿着する凹部２６〔図５（ａ）、（ｂ）〕が設けられている。従って、この凹部２６に脚部２１の内股部を挿着した状態で正座姿勢やあぐら姿勢により作業を行う場合、特に股部１２への負荷を軽減することができる。
【００３７】
（６）前記クッション１６には、クッション１６全体の厚さを調整するためにクッション１６に着脱可能に構成された追加クッション１６ａを備えている。このため、高さの異なる作業現場に対応することができるとともに、座位高さ４０を変更することにより前屈み姿勢での作業にも対応することができる。
【００３８】
（第２実施形態）
次に、本発明の第２実施形態について説明する。この第２実施形態においては、前記第１実施形態と相違する点について主に説明する。具体的には、第２実施形態では第１実施形態のクッション１６又は追加クッション１６ａの変更形態を示す。
【００３９】
図１１（ａ）、（ｃ）に示すように、四角筒状をなす硬質ゴム製の収容容器２７内には、温度調整用の蓄熱材料２８、例えばゲル材料、液状材料等が収容されている。ゲル材料としては、弾力性と蓄熱性を有しておればよく、例えばカルボキシメチルセルロース、エチルセルロース、メチルセルロース、ヒドロキシエチルセルロースの水溶性ゲル等が挙げられる。液状材料としては、水等が挙げられる。前記収容容器２７の一側壁には密封栓２９が取付けられ、収容容器２７内の蓄熱材料２８が流出しないようになっている。なお、前記密封栓２９を省略し、収容容器２７内に蓄熱材料２８を密封してもよい。ゲル材料又は液状材料の重さは、１００ｇ〜２００ｇに抑えると作業上好ましい。
【００４０】
図１１（ｂ）、（ｃ）に示すように、アシスト器具１０のクッション１６は低反発発泡ポリウレタンよりなる軟質材料層２４で構成され、その内部には前記蓄熱材料２８を収容した収容容器２７が埋め込まれている。この蓄熱材料２８により、冬季には作業者１１の臀部１５を保温し、夏季には作業者１１の臀部１５を冷却でき、作業を快適かつ円滑に進行することができる。
【００４１】
図１２に示すように、前記クッション１６の両側部には作業者１１の脚部２１の内股部を挿入する凹部２６が設けられている。また、図１３に示すように、内部が空洞の硬質ゴム製又は樹脂製の収容容器２７を使用し、クッション１６の側面を蛇腹部３８にした構成である。このことで、クッション１６の高さを、密封栓２９を通して高さ調整可能に構成することができる。すなわち、クッション１６の両側部に蛇腹部３８を設けて蛇腹構造にするとともに、一端部に密封栓２９を設け、内部に空気を充填して密封する空気充填部３９としての役割を持つ。
【００４２】
（７）この第２実施形態によれば、アシスト器具１０は蓄熱材料２８によりクッション１６又は追加クッション１６ａの温度調節性能を発揮でき、空気充填部３９の空気によりクッション１６又は追加クッション１６ａの断熱性能を発揮でき、さらに空気圧を変えることにより、クッション１６を取り替えることなく高さが可変できる。従って、座位姿勢作業を快適に行うことができ、作業能率を向上させることができる。
【００４３】
（第３実施形態）
次に、本発明の第３実施形態について説明する。この第３実施形態においては、前記第１実施形態と相違する点について主に説明する。具体的には、第３実施形態では前記ベルトタイプのアシスト器具１０の変更形態を示す。
【００４４】
図１４に示すように、前記シート本体１９の一側部には一対の長サスペンダー３０が取付けられ、その先端部にはベルト１８に留めるための留め具３１が取着されている。また、シート本体１９の他側部には一対の短サスペンダー３２が取付けられ、その先端部にはベルト１８に留めるための係止具３３が取着されている。これらの長サスペンダー３０及び短サスペンダー３２は、ゴムベルト等の弾力性のある材料で形成されている。シート本体１９の外面には、クッション１６を貼着するための面ファスナー２２が取付けられている。
【００４５】
そして、図１５（ａ）に示すように、アシスト器具１０の使用時には、一対の短サスペンダー３２の係止具３３をベルト１８に係止し、シート本体１９外面の面ファスナー２２にクッション１６を貼着するとともに、長サスペンダー３０を作業者１１の横又は股間から前に回してその先端部の留め具３１をベルト１８に留める。その状態で、作業者１１は座位姿勢をとることにより、クッション１６によって適正な座位高さ４０で作業を行うことができる。留め具３１、係止具３３はベルト１８に固定されればよく、クリップでベルト１８を挟むものやカラビナ状のベルト１８に通すもの、ボタンとボタン穴の様な組合せであっても良い。短サスペンダー３２、長サスペンダー３０は、１．５〜２倍の伸縮をするゴムなどが良好である。
【００４６】
図１５（ｂ）に示すように、アシスト器具１０の不使用時には、クッション１６を表裏逆にして持ち上げ、一対の長サスペンダー３０を両肩から前に回してその先端部の留め具３１をベルト１８に留めることにより、クッション１６を背中に背負うことができる。その状態で、作業者１１は次の作業現場へ移動することができる。
【００４７】
（８）この第３実施形態によれば、不使用時には長サスペンダー３０を両肩から前に回してベルト１８に留めるだけでクッション１６を簡単に背負うことができ、作業者１１は狭い空間を移動する際にクッション１６が他の器物に不意に接触したりすることによる転倒や、スイッチ等の誤操作などを避けることができ、移動を円滑に行うことができる。
【００４８】
（第４実施形態）
次に、本発明の第４実施形態について説明する。この第４実施形態においても、前記第１実施形態と相違する点について主に説明する。具体的には、第４実施形態では前記パンツタイプのアシスト器具１０の変更形態を示す。
【００４９】
図１６（ａ）、（ｂ）に示すように、連結用部材が展開されたパンツ１７の上部両側には一対の腰部連結片３４が延出され、それらの先端部にはそれぞれ両面に連結用面ファスナー２２ａが取付けられている。図１６（ａ）及び（ｂ）はアシスト器具１０のパンツ１７を展開した図であり、（ａ）は外面側を示す平面図、（ｂ）は身体側を示す平面図である。腰部連結片３４の下方位置には左右一対の脚部連結片３５が斜め下方に延出され、それらの先端部にはそれぞれ両面に連結用面ファスナー２２ａが取付けられている。脚部連結片３５の下方位置には左右一対の股部連結片３６が下方へ延出され、それらの先端部にはそれぞれ両面に連結用面ファスナー２２ａが取付けられている。
【００５０】
前記パンツ１７の上部には、一方の腰部連結片３４の下縁に沿って延びるように分離部としてのジップファスナー３７が設けられ、図１６（ａ）、（ｂ）の二点鎖線に示すように、一方の腰部連結片３４をパンツ１７から切り離すことができるように構成されている。パンツ１７の外面にはクッション１６貼着用の面ファスナー２２が取付けられている。
【００５１】
そして、図１７（ａ）に示すように、アシスト器具１０の使用時には、パンツ１７のジップファスナー３７を閉じた状態で、パンツ１７の外面の面ファスナー２２にクッション１６を貼着した後、一対の腰部連結片３４を腰部２０の位置で後ろから前へ回し、両腰部連結片３４先端部の連結用面ファスナー２２ａ間を貼着する。さらに、一対の脚部連結片３５を脚部２１の外側から前へ回すとともに、一対の股部連結片３６を、股部１２を通して前へ回し、それぞれ脚部連結片３５先端部の連結用面ファスナー２２ａと股部連結片３６先端部の連結用面ファスナー２２ａとを貼着して連結する。この状態で、作業者１１は座位姿勢をとることにより、クッション１６によって適正な座位高さ４０で作業を行うことができる。
【００５２】
一方、図１７（ｂ）に示すように、アシスト器具１０の不使用時には、ジップファスナー３７を開くとともに、両脚部連結片３５の連結用面ファスナー２２ａと両股部連結片３６の連結用面ファスナー２２ａとを分離する。続いて、パンツ１７を、クッション１６を包み込むようにしてクッション１６が体の横（側部）に位置するようにし、両脚部連結片３５の連結用面ファスナー２２ａと両股部連結片３６の連結用面ファスナー２２ａとをそれぞれ連結する。その状態で作業者１１は次の作業現場へ移動することができる。
【００５３】
（９）この第４実施形態によれば、アシスト器具１０の不使用時には、ジップファスナー３７を開いてクッション１６をパンツ１７で包み込むようにしてクッション１６を体の横で保持することができる。このため、作業者１１は狭い空間を移動する際にクッション１６が他の器物に接触して起きる転倒や、スイッチ等の誤操作などを避けることができ、支障なく速やかに移動することができる。
【００５４】
なお、前記各実施形態を次のように変更して具体化することも可能である。
・前記第１実施形態において、３層構造のクッション１６を構成する軟質材料層２４として、身体側の軟質材料層２４ａを外面側の軟質材料層２４ｂより軟らかく構成したり、逆に外面側の軟質材料層２４ｂを身体側の軟質材料層２４ａより軟らかく構成したりしてもよい。この場合、身体側の軟質材料層２４ａを構成する材料と外面側の軟質材料層２４ｂを構成する材料を異種材料で構成してもよい。
【００５５】
・前記第１実施形態において、作業者１１の腹部に面ファスナー２２を設け、作業者１１の移動時にクッション１６をパンツ１７外面の面ファスナー２２やシート本体１９外面の面ファスナー２２から剥がし、腹部の面ファスナー２２に貼着して移動するようにしてもよい。
【００５６】
・図１７（ａ）の二点鎖線に示すように、第４実施形態において、ジップファスナー３７を長くして、アシスト器具１０の不使用時にクッション１６が身体の腹部（前部）に位置するように構成してもよい。
【００５７】
・各実施形態におけるクッション１６の装着方法については、弾性を有するネットで作られた袋状のものを臀部１５に設け、適当な厚み或いは材質のクッション１６を選択して、上記の袋に入れることでも実現できる。
【００５８】
・各実施形態において、クッション１６の平面形状を、正方形、楕円形等に変更してもよい。
・各実施形態において、面ファスナー２２に代えて、ホック、ジップファスナー、粘着テープ等を使用してもよい。
【００５９】
・上記の作業は変電所、送電所内の作業に限定されず、電車や大型車輌の下部点検作業、ビルの天井裏、床下などの点検、配線、清掃作業など、座位を続け長時間作業する現場等でも股部１２や膝部１３の負担軽減のために有効なアシスト器具１０となるものである。
【符号の説明】
【００６０】
１０…アシスト器具、１１…作業者、１２…股部、１３…膝部、１４…床面、１５…臀部、１６…クッション、１６ａ…追加クッション、１７…パンツ、１８…ベルト、１９…シート本体、２１…脚部、２４、２４ａ、２４ｂ…軟質材料層、２５…硬質材料層、２６…凹部、２８…蓄熱材料、３０…長サスペンダー、３２…短サスペンダー、３７…分離部としてのジップファスナー、３９…空気充填部。
【図１】
2019206781.tif 000003
【図２】
2019206781.tif 000004
【図３】
2019206781.tif 000005
【図４】
2019206781.tif 000006
【図５】
2019206781.tif 000007
【図６】
2019206781.tif 000008
【図７】
2019206781.tif 000009
【図８】
2019206781.tif 000010
【図９】
2019206781.tif 000011
【図１０】
2019206781.tif 000012
【図１１】
2019206781.tif 000013
【図１２】
2019206781.tif 000014
【図１３】
2019206781.tif 000015
【図１４】
2019206781.tif 000016
【図１５】
2019206781.tif 000017
【図１６】
2019206781.tif 000018
【図１７】
2019206781.tif 000019